(57)【要約】【課題】ブラック電位の印加時に横クロストーク又はＷ帯が発生する。【解決手段】表示単位がマトリクス状に配置された表示部と、表示単位にデータ値を書き込む複数のデータ信号線と、表示単位へのデータ値の書き込みを制御する複数の走査信号線と、データ信号線を駆動する水平駆動回路と、走査信号線を駆動する垂直駆動回路とを有する表示装置に、補助信号線とその駆動回路を付与する。この際、補助信号線には、データ信号線に印加される信号線電位とは逆電位の対称信号を印加する。【選択図】図９
2005208085.tif 000002
【特許請求の範囲】
【請求項１】
表示単位がマトリクス状に配置された表示部と、前記表示単位にデータ値を書き込む複数のデータ信号線と、前記表示単位へのデータ値の書き込みを制御する複数の走査信号線と、前記データ信号線を駆動する水平駆動回路と、前記走査信号線を駆動する垂直駆動回路とを有する表示装置において、
コモン電極線との間に寄生するカップリング容量が、前記データ信号線と前記コモン電極線との間に寄生するカップリング容量と同等になるように配線された補助信号線と、
前記データ信号線に印加される信号線電位とは逆電位の信号を、前記補助信号線に印加する補助信号線駆動回路と
を有することを特徴とする表示装置。
【請求項２】
請求項１に記載の表示装置において、
前記補助信号線は、前記データ信号線と一定の間隔を隔てて対向するように前記データ信号線に沿って配線される
ことを特徴とする表示装置。
【請求項３】
請求項１に記載の表示装置において、
前記補助信号線駆動回路は、水平駆動回路側に配置される
ことを特徴とする表示装置。
【請求項４】
請求項１に記載の表示装置において、
前記補助信号線駆動回路は、プリチャージ回路側に配置される
ことを特徴とする表示装置。
【請求項５】
表示単位がマトリクス状に配置された表示部と、前記表示単位にデータ値を書き込む複数のデータ信号線と、前記表示単位へのデータ値の書き込みを制御する複数の走査信号線と、コモン電極線との間に寄生するカップリング容量が、前記データ信号線と前記コモン電極線との間に寄生するカップリング容量と同等になるように配線された補助信号線と、前記データ信号線を駆動する水平駆動回路と、前記走査信号線を駆動する垂直駆動回路とを有する表示装置に、前記補助信号線を駆動する補助信号を印加する補助信号線駆動回路において、
前記補助信号として、前記データ信号線に印加される信号線電位とは逆電位の信号を印加する
ことを特徴とする補助信号線駆動回路。
【発明の詳細な説明】
【技術分野】
【０００１】
発明の１つは、データ信号線に沿って配線された補助信号線を駆動する補助信号線駆動回路に関する。また、発明の１つは、当該補助信号線駆動回路を搭載した表示装置に関する。
【背景技術】
【０００２】
今日、液晶表示装置（ＬＣＤ：liquid Crystal Display ）は、ますます高画質化し、高精細化している。これに伴い、更なる画質の向上が求められている。かかる高解像度化は、投射型の液晶表示装置においても同様である。
【０００３】
例えば、ＳＶＧＡ（H：800×V:600）、ＸＧＡ（H:1024×V:768）といった従来モデルよりも解像度が高い高解像度モデルの開発が求められている。高解像度モデルには、例えば、ＵＸＧＡ（H:1600×V:1200）、ＱＸＧＡ（H：2048×V：1536）がある。
【０００４】
これら高解像度モデルは、従来モデルよりも画素数が各段に多い。このため、映像信号Ｓvideo の同時サンプリング数も従来モデルに比べて各段に増加する。同様に、高解像度モデルでは、従来モデルに比して画角も大きくなる。
【０００５】
このため、高解像度モデルでは、パネル全体の負荷抵抗や容量も増大する。この結果、高解像度モデルには、従来モデルには見られなかった画質不良に対する対策が必要になる。例えば、パネル構造に起因する横クロストーク（図１）に対する対策が必要になる。
【０００６】
図２に、横クロストークの発生原理を示す。なお、図２（Ａ）は、ノーマリーホワイト状態を示す。横クロストークは、この状態において背景色が黒の矩形窓が表示される場合に発生する。図２（Ｂ）に、背景色が黒の矩形窓が表示される場合の電位関係を示す。
【０００７】
このとき、図３に示すデータ信号線１に印加された映像信号Ｓvideo が、データ信号線１と交差する部分に寄生するカップリング容量Ｃ１を通じてコモン電極線２に飛び込む。このため、図２（Ｂ）に示すように、コモン電極線２の電位が本来の電位よりもブラック電位側に揺れる。
【０００８】
この結果、液晶を挟む一方の電極に保持される電位（保持電位）とコモン電極電位との電位差が、本来の電位差よりも小さくなる。この電位差の低下に起因して、黒の矩形窓の横方向に本来の濃さよりも白い領域が形成される。この横方向に広がる白い領域が、横クロストークである。
【０００９】
高解像度モデルでは、パネルの負荷抵抗や容量が大きいため、コモン電極線２の揺れ量も大きく、また揺れが減衰する速度も遅くなる。このため、横クロストークの継続時間も長い。
【００１０】
この他、高解像度モデルには、Ｗ帯（図４）に対する対策も必要になる。図５に、Ｗ帯の発生原理を示す。なお、図５（Ａ）は、ブラック電位の映像信号Ｓvideo を示す。また、図５（Ｂ）〜（Ｄ）は、データ信号線に映像信号Ｓvideo を書き込むためのドットパルス（サンプリングパルス）である。
【００１１】
Ｗ帯の発生原理を説明する。まず、図６に示すデータ信号線１にブラック電位の映像信号Ｓvideo を印加すると、その揺らぎがデータ信号線１と交差する部分に寄生するカップリング容量Ｃ１及びＣ２を通じて、当該映像信号Ｓvideo
がコモン電極線２及びゲート線３に飛び込む。
【００１２】
この際、コモン電極線２及びゲート線３に飛び込んだ揺らぎが、再びデータ信号線１に帰還してその電位を揺らす、又は、コモン電極線２の電位を揺らす（図５（Ｃ））。この揺らぎがサンプルホールド期間内に収まらない場合、同時サンプリング数に相当するドット分の帯、すなわちＷ帯が画面上に出現する。
【特許文献１】特開平１０−３０１１００号公報
【発明の開示】
【発明が解決しようとする課題】
【００１３】
かかる揺れを防止する技術の１つに、図７に示すドット−ライン反転方式がある。ドット−ライン反転方式は、同一面内で隣接するデータ信号線に互い逆電位を印加する。このため、揺れ成分が相殺され、Ｗ帯や横クロストークの発生を抑制することができる。
【００１４】
しかし、ドット−ライン反転方式を適用した液晶パネルは、開口率が小さいという問題がある。また、データ信号線の容量負荷は重いため、書き込み時間が長くなる問題もある。これらの理由から、ドット−ライン反転方式は高解像度モデルには適さない。
【００１５】
そこで、一般的には図８に示す１Ｈ反転方式が用いられる。１Ｈ反転方式は、１水平走査期間（１Ｈ）毎に映像信号の極性を反転する駆動方式である。
【００１６】
しかし、１Ｈ反転方式では、画素数や画角が増えるに従って、前述したＷ帯や横クロストークによる画質の低下が顕著になる問題がある。
【課題を解決するための手段】
【００１７】
本発明は、以上の技術的課題を考慮してなされたもので、前述した問題の１つを解決することを目的とする。
【００１８】
かかる目的を実現するため、発明の一つでは、以下の構成を有する補助信号線とその駆動回路を、表示単位がマトリクス状に配置された表示部と、表示単位にデータ値を書き込む複数のデータ信号線と、表示単位へのデータ値の書き込みを制御する複数の走査信号線と、データ信号線を駆動する水平駆動回路と、走査信号線を駆動する垂直駆動回路とを有する表示装置に付与したものを提案する。
【００１９】
ここでの補助信号線は、コモン電極線との間に寄生するカップリング容量が、データ信号線と前記コモン電極線との間に寄生するカップリング容量と同等になるように配線されたものをいう。また、補助信号線駆動回路は、データ信号線に印加される信号線電位とは逆電位の信号を、補助信号線に印加するものをいう。
【００２０】
図９に、発明を適用する場合のデータ信号線に印加される信号線電位と、補助信号線に印加される補助信号線電位との関係を示す。中心線は、コモン電極線電位を表している。従来技術の課題で説明したように、データ信号線とコモン電極線との間にはカップリング容量が寄生する。
【００２１】
また、高解像度モデルでは、表示領域（表示部）の大型化や画角の拡大に伴い、配線間のカップリング容量が増加（パスが増加）し、サンプリング期間も短縮化（パルス幅が狭化）する。このため、コモン電極線の電位との電位差が大きくなるブラック電位の書き込み時に、コモン電極線の電位が揺れて画質が劣化すると考えられる。
【００２２】
そこで、この発明では、コモン電極線との間に寄生するカップリング容量がデータ信号線とコモン電極線との間に寄生するカップリング容量と同等になるように補助信号線を配置し、これにデータ信号線に印加される信号線電位を打ち消すような反対電位を印加する。
【００２３】
これにより、コモン電極電位との電位差が大きいブラック電位がデータ信号線に印加される場合でも、そのコモン電極線に対する影響は補助信号線に印加される反対電位によってキャンセルできる。この結果、高解像度モデル化により表示領域の大型化や画角の拡大が進んでも、コモン電極電位の変動による画質の劣化を回避することができる。
【００２４】
なお、補助信号線は、データ信号線と一定の間隔を隔てて対向するようにデータ信号線に沿って配線されることが望ましい。すなわち、層間絶縁膜を挟んでデータ信号線と補助信号線が重なるように配線されることが望ましい。
【００２５】
表示面に対して垂直方向から見て同一位置にデータ信号線と補助信号線を配置すれば、開口率の低下を防止できる。データ信号線と補助信号線が配線された表示装置の断面を側面から見た位置関係の例を図１０及び図１１に示す。
【００２６】
因みに、図１０は、データ信号線１２がコモン電極線１１の上位層に配置され、補助信号線１３がコモン電極線１１の下位層に配置される例である。また、図１１は、データ信号線１２がコモン電極線１１の下位層に配置され、補助信号線１３がコモン電極線１１の上位層に配置される例である。
【００２７】
なお、図１０及び図１１は、データ信号線１２と補助信号線１３が全く同じ（すなわち、断面形状が同じ）ものとして描いている。ただし、補助信号線１３は、コモン電極線１１との間に寄生するカップリング容量が、データ信号線１２とコモン電極線１１との間に寄生するカップリング容量等になるように配線されていれば良い。
【００２８】
従って、図１２（Ａ）及び（Ｂ）に示すように、補助信号線１３の線幅がデータ信号線１２の線幅よりも狭くとも、反対に広くとも構わない。因みに、図１２（Ａ）の場合、補助信号線１３の厚みはデータ信号線１２の厚みより厚い。一方、図１２（Ｂ）の場合、補助信号線１３の厚みはデータ信号線１２の厚みより薄い。
【００２９】
ただし、これはデータ信号線１２と補助信号線１３がコモン電極線１１を挟んで対称位置に配置されている（等距離）であるのに加え、互いに対称逆電位の信号が印加されるためである。
【００３０】
従って、コモン電極線１１に飛び込む電位の揺れを打ち消すことができれば、補助信号線１３とコモン電極線１１との間隔は、データ信号線１２とコモン電極線１１との間隔よりも狭くすることもできるし、反対に広くすることもできる。
【００３１】
また、補助信号についても、コモン電極線１１に飛び込む電位の揺れを打ち消すことができれば、データ信号線に印加される電位の対称逆電位（コモン電極線の電位を挟んで対称）である必要はない。
【００３２】
また、補助信号線１３の材料は、データ信号線１２と同じであるのが望ましい。ただし、補助信号線１３の配線材料にデータ信号線１２と別の配線材料を用いても良い。配線材料には、例えば、ＩＴＯ（Indium Tin Oxide, インジウムスズ酸化物）、アルミニウム、チタンその他を用いる。
【００３３】
なお、これらの配線条件（幅、厚み、コモン電極線との距離、配線材料等）は、配線間に寄生するカップリング容量の条件を満たす範囲で任意に選択できる。また、図１０〜図１２においては、補助信号線を１本とする場合について説明したが複数本でも良い。
【００３４】
この場合、複数本の補助信号線全体を１つの補助信号線とみなし、前述の条件を満たすように補助信号線の配線条件を決定すれば良い。この際、２本の補助信号線でデータ信号線を上層と下層の両側から挟むように配置することもできる。
【００３５】
一方、補助信号線の駆動回路は、表示領域を形成する基体（例えば、表示パネル）上に形成しても良いし、基体とは別に設けても良い。なお、補助信号線駆動回路を表示パネル上に形成する場合、当該回路は水平駆動回路側に配置しても良いし、プリチャージ回路側に配置しても良い。また、当該回路は垂直駆動回路側に配置することも可能である。
【００３６】
因みに、補助信号線駆動回路を水平駆動回路側に配置する場合には、信号の伝搬遅延も含めてデータ信号線と同じ条件での駆動を実現できる。一方、補助信号線駆動回路をプリチャージ回路側に配置する場合には、比較的大きな回路が表示パネルの一辺側に集中するのを回避できる。また、周波数の高いクロックを扱う水平駆動回路と補助信号線駆動回路間の相互干渉も低減できる。
【発明の効果】
【００３７】
前述した発明を用いれば、ブラック電位の印加時にもコモン電極線１の電位の変動を防止できる。これにより、電位の揺れが伝搬することによる横クロストークやＷ帯の発生のない表示装置を実現できる。
【発明を実施するための最良の形態】
【００３８】
以下、アクティブマトリックス型の液晶表示装置を例に、ブラック電位の印加時にもクロストークを原因とした画質劣化を生じさせない表示装置について説明する。なお、本明細書で特に図示又は記載していない技術は、当該技術分野において知られているものを適用する。
【００３９】
（１）第１の実施形態
（１−１）液晶表示装置の構成
図１３に、液晶表示装置のパネル構成例を示す。液晶パネル２１は、画素がマトリクス状に配置された表示領域２２と、その他の周辺回路２３〜２７とを有する。ここでの周辺回路は、水平駆動回路２３、補助信号線駆動用の水平駆動回路（以下「補助信号線駆動回路」という。）２４、プリチャージ回路２５、垂直駆動回路２６、駆動パルス分配回路２７である。
【００４０】
（ａ）表示領域
表示領域２２には、図１４に示すように、互いに交差するデータ信号線２２Ａとゲート線２２Ｂが形成されている。交点位置には、表示単位のドットを点灯又は消灯するアクティブ素子２２Ｃが配置される。アクティブ素子２２Ｃには、通常、ＴＦＴ（Thin Film Transistor）が使用される。
【００４１】
アクティブ素子２２ＣがＮチャネル型の場合、ゲート線２２Ｂに正パルスが印加されたとき、データ信号線２２Ａの映像信号Ｓvideo （信号電位）が液晶を挟むように配置された一方の電極に印加される。
【００４２】
液晶を挟む他方の電極は、コモン電極線２２Ｄに接続される。コモン電極線２２Ｄは、ゲート線２２Ｂと並行に配線される。すなわち、コモン電極線２２Ｄは、データ信号線２２Ａと直交するように配置される。なお、図１４の場合、コモン電極線２２Ｄは、データ信号線２２Ａの上側（液晶側）に配置される。
【００４３】
この他、液晶パネル２１には、補助信号線２２Ｅが設けられる。補助信号線２２Ｅは、データ信号線２２Ａとコモン電極線２２Ｄの更に上側に配置される。なお図１４では、作図上の都合からデータ信号線２２Ａに対して補助信号線２２Ｅをずらして描画している。
【００４４】
ただし実際には、液晶パネル面に対して垂直の方向から見て、補助信号線２２Ｅがデータ信号線２２Ａに完全に重なるように配置する。なお、補助信号線２２Ｅは、データ信号線２２Ａに沿って延長されているが、アクティブ素子２２Ｃには接続されていない。
【００４５】
補助信号線２２Ｅは、データ信号線２２Ａによるコモン電極電位の揺れを相殺する目的のためだけに配置されている。
【００４６】
（ｂ）水平駆動回路
図１５に、水平駆動回路２３の内部構成を示す。水平駆動回路２３は、スタートパルス回路２３Ａ、シフトレジスタ２３Ｂ、クロック抜き出し回路２３Ｃ、位相調整回路２３Ｄ、信号線スイッチ回路２３Ｅを有する。
【００４７】
スタートパルス回路２３Ａは、スタートパルスＨＳＴを発生する回路である。スタートパルスＨＳＴは、水平方向に配列されたシフトレジスタ２３Ｂの先頭位置に供給される。スタートパルスＨＳＴは、多段接続されたシフトレジスタ２３Ｂを転送される。
【００４８】
シフトレジスタ２３Ｂは、水平クロックＨＣＫ、ＨＣＫＸ（ＨＣＫの逆位相遅延クロック）に基づいて、スタートパルスＨＳＴを水平方向に転送する回路である。シフトレジスタ２３Ｂは、それぞれ表示単位のドットに対応して配列されている。各シフトレジスタ２３Ｂの出力は、クロック抜き出し回路２３Ｃにイネーブル信号として与えられる。
【００４９】
クロック抜き出し回路２３Ｃは、対応するシフトレジスタ２３Ｂからイネーブル信号が与えられている期間に入力されたドットクロックＤＣＫ１又はＤＣＫ２をサンプリングパルスとして抜き出す回路である。
【００５０】
なお、抜き出されたドットクロックＤＣＫ１又はＤＣＫ２は、位相調整回路２３Ｄによる位相調整後、サンプリングパルスとして信号線スイッチ回路２３Ｅに与えられる。信号線スイッチ回路２３Ｅは、ドットクロックが有意レベルのとき、スイッチを閉じるように動作する。
【００５１】
このとき、信号線２３Ｆに印加されている映像信号Ｓvideo が、データ信号線２２Ａを通じてアクティブ素子（ＴＦＴ）に供給される。
【００５２】
（ｃ）補助信号線駆動回路
図１６に、補助信号線駆動回路２４の内部構成を示す。補助信号線駆動回路２４は、その出力が補助信号として補助信号線２２Ｅに印加される点を除き、水平駆動回路２３の構成と同一構成でなる。
【００５３】
すなわち、補助信号線駆動回路２４は、スタートパルス回路２４Ａ、シフトレジスタ２４Ｂ、クロック抜き出し回路２４Ｃ、位相調整回路２４Ｄ、信号線スイッチ回路２４Ｅを有する。違いは、信号線２４Ｆに映像信号Ｓvideo の反転信号（補助信号）Ｓvideo-i が印加される点のみである。
【００５４】
なお、補助信号Ｓvideo-i は、映像信号Ｓvideo
とは対称逆電位の関係にある。この実施例の場合、補助信号Ｓvideo-i は、外部駆動回路から供給される。補助信号Ｓvideo-i は、分岐した映像信号Ｓvideo を位相反転することで生成可能である。
【００５５】
図１７に、補助信号生成回路２４Ｇの回路例を示す。補助信号生成回路２４Ｇは、例えば差動増幅回路として構成できる。この場合、映像信号Ｓvideo を入力するトランジスタＴＲ１のコレクタ端に現れる電位を、補助信号Ｓvideo-i として出力する。一方、映像信号Ｓvideo
は、他方のトランジスタＴＲ２のコレクタ端に現れる電位を用いれば良い。
【００５６】
なお図１７においては、各トランジスタＴＲ１及びＴＲ２の負荷抵抗をＲ１、Ｒ２とする。また、定電流源として、抵抗Ｒ３を使用する。なお、トランジスタＴＲ２には、基準電位Ｖref を与えている。
【００５７】
（ｄ）プリチャージ回路
図１８に、プリチャージ回路２５の内部構成を示す。プリチャージ回路２５は、表示領域２２の水平方向に沿って延びる２本の信号線２５Ａ、２５Ｂと、データ信号線２２Ａへのプリチャージ信号の供給と停止を切り替えるスイッチ回路２５Ｃとを有する。
【００５８】
このうち信号線２５Ａには、プリチャージ信号のサンプリングに用いられるスイッチ回路２５Ｃの開閉信号が印加されている。また、信号線２５Ｂには、プリチャージ信号が印加されている。
【００５９】
プリチャージ信号は、信号線２５Ａに印加された開閉信号によりスイッチ回路２５Ｃが閉じられた時、データ信号線２２Ａに印加される。
【００６０】
（ｅ）垂直駆動回路
図１９に、垂直駆動回路２６の内部構成を示す。垂直駆動回路２６は、スタートパルス回路２６Ａ、シフトレジスタ２６Ｂ、オーバーラップ禁止回路２６Ｃ、ゲートパルス生成回路２６Ｄ、ストライプドメイン抑圧回路２６Ｅを有する。
【００６１】
スタートパルス回路２６Ａは、スタートパルスＶＳＴを発生する回路である。スタートパルスＶＳＴは、垂直方向に配列されたシフトレジスタ２６Ｂの先頭位置に供給される。スタートパルスＶＳＴは、シフトレジスタ２６Ｂを転送される。なお実際には、スタートパルスＶＳＴを２分周したスタートパルス２ＶＳＴが転送される。
【００６２】
シフトレジスタ２６Ｂは、垂直クロック２ＶＣＫ、２ＶＣＫＸに基づいて、スタートパルスＶＳＴを垂直方向に転送する回路である。因みに、垂直クロック２ＶＣＫ、２ＶＣＫＸは、垂直クロックＶＣＫの２分周クロックである。２ＶＣＫＸは、２ＶＣＫの逆位相遅延クロックである。
【００６３】
シフトレジスタ２６Ｂは、それぞれ走査線に対応して配列されている。各シフトレジスタ２６Ｂの出力は、オーバーラップ禁止回路２６Ｃに転送パルスＴＰ１〜３として与えられる。
【００６４】
オーバーラップ禁止回路２６Ｃは、隣り合う２つの走査線間でゲートパルス（走査線を選択するパルス）がオーバーラップするのを禁止する回路である。オーバーラップ禁止回路２６Ｃは、オーバーラップ期間をイネーブル信号で無効化するために使用する。このため、オーバーラップ禁止回路２６Ｃを、ＮＡＮＤゲート２６Ｃ１とインバータ２６Ｃ２で構成する。
【００６５】
ＮＡＮＤゲート２６Ｃ１には、前段ラインの転送パルス、自段ラインの転送パルス、イネーブル信号を入力する。なお、転送パルスがオーバーラップしている期間に論理値が変化するのはイネーブル信号だけである。この結果、オーバーラップ禁止回路２６Ｃからは、オーバーラップ期間のイネーブル信号だけが抽出される。
【００６６】
ゲートパルス生成回路２６Ｄは、各走査線に対応するゲートパルスの取出用回路である。各走査線に対応するゲートパルス生成回路２６Ｄは、ＮＡＮＤゲート２６Ｄ１とインバータ２６Ｄ２を有する。
【００６７】
１つのインバータ２６Ｄ２は、２つの走査線に対応する。このため、ＮＡＮＤゲート２６Ｄ１には、２ＶＣＫと２ＶＣＫＸのそれぞれに対して位相が９０°遅延したｈａｌｆ２ＶＣＫとｈａｌｆ２ＶＣＫＸを入力する。
【００６８】
ｈａｌｆ２ＶＣＫとｈａｌｆ２ＶＣＫＸは逆位相である。このため、一組のゲートパルス生成回路２６Ｄでは、入力信号に現れる２つのイネーブル信号のうち一方のみが相補的に選択される。
【００６９】
かくして、ゲートパルス生成回路２６Ｄは、オーバーラップ期間の無い独立パルスを出力する。この結果、各走査線を順番に選択状態に制御することができる。
【００７０】
（ｆ）駆動パルス分配回路
駆動パルス分配回路は、外部駆動回路から入力のあった駆動パルスＨＳＴ、ＨＣＫ、ＤＣＫを２つに分岐し、その一つを水平駆動回路２３に供給し、残る１つを補助信号線駆動回路２４に供給する。
【００７１】
（１−２）表示動作
次に、液晶表示装置による映像信号の表示動作を説明する。この際、水平駆動回路２３は、駆動パルスＨＳＴ、ＨＣＫ、ＤＣＫに基づき、映像信号書き込み用のサンプリングパルスを生成する。また、垂直駆動回路２６は、駆動パルスＶＳＴ、ＶＣＫ、ＥＮＢに基づき、走査線選択用のゲートパルスを生成する。
【００７２】
これらのパルスは、対応するスイッチ回路を順番に開閉駆動する。結果として、ゲートパルスで選択された走査線とサンプリングパルスで選択されたデータ信号線との交点に位置するアクティブ素子が順番にオン状態になる。そして、データ信号線２２Ａを通じて映像信号Ｓvideo の書き込みが行われる。
【００７３】
この際、補助信号線２２Ｅには、図９に示すように、データ信号線２２Ａの電位とは対称逆電位の補助信号Ｓvideo-i が印加される。このため、データ信号線２２Ａに書き込まれる電位に起因して発生する電位の揺れは、補助信号線２２Ｅに書き込まれる逆電位の揺れにより相殺される。
【００７４】
この相殺動作は、コモン電極電位との電位差が大きくなるブラック電位の印加時にも実行される。結果的に、コモン電極電位に飛び込む電位の揺れは無くなるか、ほとんど無視できる程度になる。結果として、本来の電位差が液晶に印加される。
【００７５】
（１−３）実施形態の効果
データ信号線２２Ａの真上（パネルの厚み方向）に重なるように配置した補助信号線２２Ｅに、映像信号Ｓvideo とは対称逆電位の補助信号Ｓvideo-i を印加することにより、ブラック電位印加時における横クロストーク及びＷ帯の発生を防ぐことができる。
【００７６】
（２）他の実施形態
前述の実施形態においては、補助信号線駆動回路２４を水平駆動回路２３側に配置した。しかし、補助信号線駆動回路２４はプリチャージ回路２５側に配置することもできる。図２０に、その回路配置例を示す。
【００７７】
また前述の実施形態においては、液晶パネル２１内に駆動パルス分配回路２７を配置した。しかし、液晶パネル２１内で駆動パルスを分配するのではなく、分配後の駆動パルスをそれぞれ与えることもできる。すなわち、水平駆動回路用の駆動パルスと、補助信号線駆動回路用の駆動パルスを液晶パネル２１に与えても良い。
【００７８】
前述の実施形態においては、補助信号線２２Ｅに映像信号Ｓvideo の対称逆電位を常に印加した。しかし、横クロストーク及びＷ帯が発生し易いブラック電位の印加時（大きな電位の揺れが発生し得る範囲の電位を含む。例えば、グレイ電位の印加時）にのみ、補助信号Ｓvideo-i
を印加する構成としても良い。
【００７９】
前述の実施形態においては、補助信号線駆動回路２４に水平駆動回路２３と同じ駆動パルスを与えて駆動した。しかし、補助信号線駆動回路２４には、補助信号発生用の別の駆動パルスを入力しても良い。
【００８０】
前述の実施形態においては、液晶パネル２１の外部に補助信号生成回路２４Ｇを設けた。しかし、液晶パネル２１の内部に補助信号生成回路２４Ｇを設けても良い。この場合、信号線数を１つ削減できる。
【図面の簡単な説明】
【００８１】
【図１】横クロストークを示す図である。
【図２】横クロストークの発生メカニズムを示す図である。
【図３】コモン電極線とデータ信号線の交点付近に発生するカップリング容量を示す図である。
【図４】コモン電極電位の揺らぎに起因したＷ帯を示す図である。
【図５】Ｗ帯の発生メカニズムを示す図である。
【図６】コモン電極線とデータ信号線及びゲート線とデータ信号線の各交点付近に発生するカップリング容量を示す図である。
【図７】ドット反転駆動方式を示す図である。
【図８】１Ｈ反転駆動方式を示す図である。
【図９】信号線電位と補助信号線電位の関係を示す図である。
【図１０】補助信号線とデータ信号線の配置関係（１）を示す図である。
【図１１】補助信号線とデータ信号線の配置関係（２）を示す図である。
【図１２】補助信号線とデータ信号線の配置関係（３）を示す図である。
【図１３】液晶表示装置を構成するパネル構成例を示す図である。
【図１４】補助信号線の配置例を示す図である。
【図１５】水平駆動回路の構成例を示すブロック図である。
【図１６】補助信号線駆動回路の構成例を示す図である。
【図１７】補助信号生成回路の構成例を示す図である。
【図１８】プリチャージ回路の構成例を示す図である。
【図１９】垂直駆動回路の構成例を示すブロック図である。
【図２０】液晶表示装置の他の実施形態例を示す図である。
【符号の説明】
【００８２】
１、１２、２２Ａ  データ信号線
２、１１、２２Ｄ  コモン電極線
３、１３、２２Ｂ  ゲート線
２１              液晶パネル
２２              表示領域
２２Ｅ            補助信号線
２３              水平駆動回路
２４              補助信号駆動回路
２４Ｇ            補助信号生成回路
２５              プリチャージ回路
２６              垂直駆動回路
２７              駆動パルス分配回路
【図１】
2005208085.tif 000003
【図２】
2005208085.tif 000004
【図３】
2005208085.tif 000005
【図４】
2005208085.tif 000006
【図５】
2005208085.tif 000007
【図６】
2005208085.tif 000008
【図７】
2005208085.tif 000009
【図８】
2005208085.tif 000010
【図９】
2005208085.tif 000011
【図１０】
2005208085.tif 000012
【図１１】
2005208085.tif 000013
【図１２】
2005208085.tif 000014
【図１３】
2005208085.tif 000015
【図１４】
2005208085.tif 000016
【図１５】
2005208085.tif 000017
【図１６】
2005208085.tif 000018
【図１７】
2005208085.tif 000019
【図１８】
2005208085.tif 000020
【図１９】
2005208085.tif 000021
【図２０】
2005208085.tif 000022